【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
サービス統合プラットフォームシステムであって、
独立系ソフトウェアベンダー（ＩＳＶ）によって開始されたサービス要求を受信するよう構成されたインターフェースと、
前記サービス要求を認証すると共に、前記サービス要求が認証された場合に、さらなる処理のために前記サービス要求を、サービスを提供するインターネットサービスプロバイダ（ＩＳＰ）までルーティングするよう構成された１または複数のプロセッサと、
を備え、
前記サービス要求は、前記サービス要求が、前記ＩＳＰによって提供された配備環境に対応する配備用統一リソース識別子（ＵＲＩ）で受信された場合には、前記配備環境までルーティングされ、
前記サービス要求は、前記サービス要求が、前記ＩＳＰによって提供されたテスト環境に対応するテスト用ＵＲＩで受信された場合には、前記テスト環境までルーティングされる、システム。
【請求項２】
請求項１に記載のシステムであって、前記認証は、前記サービス要求を開始した前記ＩＳＶのパラメータが正規のものか否か、前記サービスが存在するか否か、署名が必要か否か、権限があるか否か、前記署名が有効か否か、タイムスタンプが期限切れであるか否か、トークンが有効であるか否か、の内の１または複数を認証することを含む、システム。
【請求項３】
請求項１に記載のシステムであって、前記１または複数のプロセッサは、さらに、
前記サービス要求を開始した前記ＩＳＶによって要求されたサービスが、前記ＩＳＰへのログインを必要とすることを決定し、
前記ＩＳＰへのログイン要求を開始し、
前記ＩＳＰの処理に従ってトークンを生成し、
前記ＩＳＶの前記サービス要求を前記ＩＳＰに転送するよう構成されている、システム。
【請求項４】
請求項１に記載のシステムであって、前記１または複数のプロセッサは、さらに、認証およびルーティングに関連する作業のログを記録するよう構成されている、システム。
【請求項５】
請求項４に記載のシステムであって、前記１または複数のプロセッサは、さらに、前記ログを解析するよう構成されている、システム。
【請求項６】
請求項５に記載のシステムであって、前記１または複数のプロセッサは、さらに、前記ログの解析結果に従ってシステムアクセスを監視するよう構成されている、システム。
【請求項７】
請求項５に記載のシステムであって、前記１または複数のプロセッサは、さらに、前記ログの解析結果に従って代金を計上するよう構成されている、システム。
【請求項８】
請求項１に記載のシステムであって、前記１または複数のプロセッサは、さらに、前記ＩＳＰによって提供されたサンドボックスを前記ＩＳＶのテストサービスにリンクするよう構成されている、システム。
【請求項９】
請求項１に記載のシステムであって、前記１または複数のプロセッサは、さらに、前記サービス要求が前記テスト環境までルーティングされた場合に、システムデバッグプロシージャをテストするよう構成されている、システム。
【請求項１０】
請求項９に記載のシステムであって、前記１または複数のプロセッサは、さらに、前記システムデバッグプロシージャのテスト結果に従って、前記ＩＳＶによって開始された前記サービス要求を認証するよう構成されている、システム。
【請求項１１】
請求項１に記載のシステムであって、前記１または複数のプロセッサは、さらに、前記サービス要求が前記テスト環境までルーティングされた場合に、アプリケーションインターフェースをテストするよう構成されている、システム。
【請求項１２】
請求項１に記載のシステムであって、前記１または複数のプロセッサは、さらに、各ＩＳＰのアプリケーションインターフェーステストアドレスおよびサービスアドレスを取得し、前記サービス要求が前記テスト用ＵＲＩで受信された場合に前記サービス要求を前記アプリケーションインターフェーステストアドレスまでルーティングするよう構成されている、システム。
【請求項１３】
請求項１に記載のシステムであって、前記１または複数のプロセッサは、さらに、各ＩＳＰのサービス記述文書を少なくとも１つのＩＳＶに提供するよう構成されている、システム。
【請求項１４】
インターネットサービスを提供するための方法であって、
独立系ソフトウェアベンダー（ＩＳＶ）によって開始されたサービス要求を受信し、
前記サービス要求を認証し、
前記サービス要求が認証された場合に、さらなる処理のために前記サービス要求を、サービスを提供するインターネットサービスプロバイダ（ＩＳＰ）までルーティングすること、
を備え、
前記サービス要求は、前記サービス要求が、前記ＩＳＰによって提供された配備環境に対応する配備用統一リソース識別子（ＵＲＩ）で受信された場合には、前記配備環境までルーティングされ、
前記サービス要求は、前記サービス要求が、前記ＩＳＰによって提供されたテスト環境に対応するテスト用ＵＲＩで受信された場合には、前記テスト環境までルーティングされる、方法。
【請求項１５】
請求項１４に記載の方法であって、前記認証は、前記サービス要求を開始した前記ＩＳＶのパラメータが正規のものか否か、前記サービスが存在するか否か、署名が必要か否か、権限があるか否か、前記署名が有効か否か、タイムスタンプが期限切れであるか否か、トークンが有効であるか否か、の内の１または複数の認証を含む、方法。
【請求項１６】
請求項１４に記載の方法であって、さらに、
前記サービス要求を開始した前記ＩＳＶによって要求されたサービスが、前記ＩＳＰへのログインを必要とすることを決定し、
前記ＩＳＰへのログイン要求を開始し、
前記ＩＳＰの処理に従ってトークンを生成し、
前記ＩＳＶの前記サービス要求を前記ＩＳＰに転送すること、
を備える、方法。
【請求項１７】
請求項１６に記載の方法であって、さらに、認証およびルーティングに関連するログを記録することを備える、方法。
【請求項１８】
請求項１７に記載の方法であって、さらに、前記ログを解析することを備える、方法。
【請求項１９】
請求項１８に記載の方法であって、さらに、前記ログの解析結果に従ってシステムアクセスを監視することを備える、方法。
【請求項２０】
請求項１８に記載の方法であって、さらに、前記ログの解析結果に従って代金を計上することを備える、方法。
【請求項２１】
請求項１４に記載の方法であって、さらに、前記ＩＳＰによって提供されたサンドボックスを前記ＩＳＶのテストサービスにリンクすることを備える、方法。
【請求項２２】
請求項１４に記載の方法であって、さらに、前記サービス要求が前記テスト環境までルーティングされた場合に、システムデバッグプロシージャのテストをトリガすることを備える、方法。
【請求項２３】
請求項２２に記載の方法であって、さらに、前記システムデバッグプロシージャのテスト結果に従って、前記ＩＳＶによって開始された前記サービス要求を認証することを備える、システム。
【請求項２４】
請求項１４に記載の方法であって、さらに、前記サービス要求が前記テスト環境までルーティングされた場合に、アプリケーションインターフェースをテストすることを備える、方法。
【請求項２５】
請求項１４に記載の方法であって、さらに、各ＩＳＰのアプリケーションインターフェーステストアドレスおよびサービスアドレスを取得し、前記サービス要求が前記テスト用ＵＲＩで受信された場合に前記サービス要求を前記アプリケーションインターフェーステストアドレスまでルーティングすること、を備える、方法。
【請求項２６】
請求項１４に記載の方法であって、さらに、各ＩＳＰのサービス記述文書を少なくとも１つのＩＳＶに提供することを備える、方法。
【請求項２７】
サービス統合プラットフォームシステムであって、
独立系ソフトウェアベンダー（ＩＳＶ）によって開始されたサービス要求を受信するよう構成されたインターフェースと、
前記サービス要求を認証するよう構成された認証モジュールと、
前記サービス要求が認証された場合に、さらなる処理に向けて前記サービス要求を、サービスを提供するインターネットサービスプロバイダ（ＩＳＰ）までルーティングするよう構成されたルーティングモジュールと、
を備え、
前記サービス要求は、前記サービス要求が、前記ＩＳＰによって提供された配備環境に対応する配備用統一リソース識別子（ＵＲＩ）で受信された場合には、前記配備環境までルーティングされ、
前記サービス要求は、前記サービス要求が、前記ＩＳＰによって提供されたテスト環境に対応するテスト用ＵＲＩで受信された場合には、前記テスト環境までルーティングされる、システム。